(57)【特許請求の範囲】
【請求項１】
ロードセル上に試料載置台を設け、その上方に電熱ヒータを配置した燃焼装置であって、電熱ヒータの上下を開口してあり、試料載置台上の試料に点火する点火棒を電熱ヒータの上下開口を通して上下方向に進入避退するようにしてあり、上記電熱ヒータが円錐台形電熱ヒータであり、上記電熱ヒータに側方に張り出す支持板を設け、この支持板上にＬ字型形状の点火棒支持アームを回動可能に軸支し、点火棒支持アームの先端に点火棒を支持させてあり、上記点火棒支持アームを回動可能に軸支する軸支部に回動駆動部を設け、回動支持アームの回動を自動化してある材料燃焼分析試験機の燃焼装置。
【請求項２】
上記点火棒による試料の点火を検知する検知センサーを設けてある上記請求項１に記載の材料燃焼分析試験機の燃焼装置。
【請求項３】
上記検知センサーが紫外線センサーである上記請求項２に記載の材料燃焼分析試験機の燃焼装置。
【請求項４】
上記検知センサーの点火検知により上記回動駆動部を作動し点火棒を自動的に避退するようにしてある上記請求項１に記載の材料燃焼分析試験機の燃焼装置。
【発明の詳細な説明】
【０００１】
【発明の属する技術分野】
本発明は、各種材料の火災危険度を予測する重要な要因である各種材料の発熱速度を測定する材料燃焼分析試験機の燃焼装置に関する。
【０００２】
【従来の技術】
各種材料の燃焼において発生する熱量とそこで消費する酸素の量の関係が有機材料の種類によらず酸素１ｋｇあたり１３．１ＭＪの発熱があるという原理に基づいた装置であって、酸素消費を高精度に測定し各種材料の火災危険度を予測する重要な要因である発熱速度を計算して測定する材料燃焼分析試験機は公知である。
また、従前公知の材料燃焼分析試験機であって試料を均一に加熱するために上下を開口した円錐台形の電熱ヒータを使用するコーン型材料燃焼分析試験機も公知である。
【０００３】
【発明が解決しようとする課題】
従前公知の材料燃焼試験機の燃焼装置では、燃焼に基づく試料の質量変化を測定するロードセル上に試料載置台を設け、その上方に円錐台形電熱ヒータを配置して、試料を加熱する構成がとられており、円錐台形電熱ヒータと試料との間の間隙に点火棒を水平方向から進入し、高電圧スパークを発生させて試料に点火するようにされていた。
この従前公知の燃焼装置では、点火棒を水平方向から進入していたため、加熱による試料の変形により、点火棒への試料の巻き込み現象を生じて試験に重大な支障をきたすという課題があり、点火棒が試料表面への電熱ヒータの熱の一部遮蔽を生ずる等の悪影響があるという課題があった。
さらに、従前公知の燃焼装置では、試料の着火時間を人の目視により行っていたため、正確性に欠けるという課題もあった。
【０００４】
【課題を解決するための手段】
本発明は、上記課題を解決するためになされたものであり、ロードセル上に試料載置台を設け、その上方に電熱ヒータを配置した燃焼装置であって、電熱ヒータの上下を開口してあり、試料載置台上の試料に点火する点火棒を電熱ヒータの上下開口を通して上下方向に進入避退するようにしてあることを特徴とする。
上記電熱ヒータが円錐台形電熱ヒータである。
【０００５】
上記電熱ヒータに側方に張り出す支持板を設け、この支持板上に点火棒支持アームを回動可能に軸支し、点火棒支持アームの先端に点火棒を支持させてあることも特徴とする。
上記点火棒支持アームを回動可能に軸支する軸支部に回動駆動部を設け、回動支持アームの回動を自動化してある。
上記点火棒による試料の点火を検知する検知センサーを設けてある。
上記検知センサーが紫外線センサーであるとよい。
上記検知センサーの点火検知により上記回動駆動部を作動し点火棒を自動的に避退するようにしてある。
【０００６】
【発明の実施の形態】
発明の実施の形態を図面に示した実施例に基づき説明する。
図中１が試料載置台で、図示しないロードセル上に設けてある。この試料載置台１上に試料２を載せるが、この試料２は把手４を備える試料受け３上に載せてあり、この試料受け３を試料載置台１上に載せるようにしてある。図示した実施例では、この試料受け３に２つの断熱材５を載せて、その上に試料２を載せてある。この断熱材５は１つでもよい。また、この試料２上には上方を開口７したカバー６を載せてある。
【０００７】
上記試料載置台１上方に電熱ヒータ８を配置してある。この電熱ヒータ８は上下を開口９、１０する円錐台形状をしている。そして、この電熱ヒータ８は材料燃焼分析試験機の不動の壁１１に固定した支持アーム１２に支持させてある。実施例では電熱ヒータ８の上部に開口９を設けた支持板１３を水平方向に張り出して固設してあり、この支持板１３を支持アーム１２に固設してある。現実には２本の平行する支持アーム１２の先端下部を電熱ヒータ８の開口９を外して支持板１３に固定してある。さらに、電熱ヒータ８の下部にも水平方向側方に張り出す支持板１４を固設してある。
【０００８】
さらに、図中１５が点火棒で、その先端に高電圧スパークを発生させ、試料２に着火させる。この点火棒１５は、電熱ヒータ８の上下の開口９、１０を通して上下方向に進入避退させるようにしてあり、その進入位置でその先端が試料２の直上に位置付くようにしてある。
そのために上記電熱ヒータ８の下部の支持板１４に基端部を軸支１７した軸支部１６を有するＬ字型形状の回動支持アーム１８を設け、この回動支持アーム１８の先端に点火棒１５の基部を固設してある。そしてこの回動支持アーム１８の回動により、点火棒１５を上下方向に進入避退するようにしてあり、この回動を回動駆動部１９によって自動化してある。
図示した実施例では、この回動駆動部１９にエアーシリンダを使用しているが、他の駆動源であってもよい。上記回動支持アーム１８に位置決め用ストッパー２０を設けてあり、回動支持アーム１８の進入作動時に、このストッパー２０が支持板１３に当接して点火棒１５の進入位置が決まるようにしてある。
【０００９】
図２中に示した２１が試料２の点火を検知する検知センサーで、材料燃焼分析試験機の不動の壁１１に取り付けてあり、試料２の着火を検知して回動駆動部１９を作動し点火棒１５を避退作動するようにしてある。実施例ではこの検知センサー２１に紫外線センサーを使用してある。
【００１０】
上記の通りの構成からなる本発明燃焼装置についての作動を以下に説明する。図１に試料載置台１上に試料を載置し、点火棒１５を点火位置にある状態を示してある。試料２は試料受け３の把手４を把持して、これを試料載置台１上に人手により載せる。この状態で電熱ヒータ８により試料２を加熱する。この試料２を加熱した状態で点火棒１５を図１の想像線位置から実線位置即ち点火位置まで、回動支持アーム１８を回動して進入させる。即ち点火棒１５は電熱ヒータ８の上下の開口９、１０を通って上方から下方に向かって移動して進入する。
【００１１】
そして、電熱ヒータ８によって加熱されている試料２の直上で点火棒１５の先端に高電圧スパークを発生させ、試料２に着火させる。試料２が着火するとその炎を検知センサー２１が検知し、回動支持アーム１８の回動駆動部１９に指示し回動支持アーム１８を避退回動して点火棒１５を上方に避退させる。
【００１２】
【発明の効果】
叙上の如く本発明では、点火棒を電熱ヒータの上下開口を通して上下に進入避退するようにしてあるから、加熱により変形した試料の巻き込み現象等を受けることがなく、確実に点火棒を避退することができ、試験に重大な支障をきたすことなく、円滑な試験をすることができる効果を有する。
また、点火棒が上下方向に進入避退するから、この点火棒が電熱ヒータの熱を一部遮蔽することなく、効率のよい加熱作業が得られる。
さらに、本発明では試料の着火を検知センサーによって検知するようにしてあるから、着火時間を正確に読み取り正確な試験結果が得られる効果がある。
【図面の簡単な説明】
【図１】本発明装置の要部を示す一部切断正面図
【図２】本発明装置の全体図を示す正面図で、点火棒及びその回動支持アームを省略して示してある。
【符号の説明】
１  試料載置台
２  試料
３  試料受け
４  把手
５  断熱材
６  カバー
７  開口
８  電熱ヒータ
９  開口
１０  開口
１１  壁
１２  支持アーム
１３  支持板
１４  支持板
１５  点火棒
１６  軸支部
１７  軸支
１８  回動支持アーム
１９  回動駆動部
２０  位置決め用ストッパー
２１  検知センサー
【図１】
0004220628.tif 000002
【図２】
0004220628.tif 000003